【事件の表示】
　平成　９年特許願第５３６３４３号「時分割衛星無線電話通信におけるランダムアクセスシステムと方法」拒絶査定不服審判事件〔平成　９年１０月１６日国際公開、ＷＯ９７／３８５０２、平成１２年　３月２８日国内公表、特表２０００−５０３８３２〕について、次のとおり審決する。
【結　論】
　本件審判の請求は、成り立たない。
【理　由】
（手続の経緯、本件発明）
　本願は、１９９７年４月３日（パリ条約による優先権主張外国庁受理１９９６年４月８日、米国）を国際出願日とする出願であって、その請求項１乃至１７に係るそれぞれの発明は、１９９８年２月１９日付けの補正書（平成１０年１０月７日付けで翻訳文が提出されている。）により補正された明細書及び図面の記載からみて、その特許請求の範囲に記載されたとおりのものであるところ、その請求項１に係る発明（以下、本件発明という。）は、次のとおりのものである。
「複数のダウンリンク搬送周波数帯域と複数のアップリンク搬送周波数帯域とを含む搬送周波数スペクトルを介して、少なくとも１つの衛星と、少なくとも１つの無線電話機との間に無線電話通信信号を伝達するための時分割多元接続衛星無線電話通信システムであって、
　該複数のダウンリンク搬送周波数帯域を介して、該少なくとも１つの衛星から該少なくとも１つの無線電話機に無線電話通信信号を伝達するためのダウンリンク伝達手段と、
　該複数のアップリンク搬送周波数帯域を介して、該少なくとも１つの無線電話機から該少なくとも１つの衛星に無線電話通信信号を伝達するためのアップリンク伝達手段であって、
　該複数のアップリンク搬送周波数帯域の時分割多重アップリンク搬送周波数帯域を介して、時分割多重無線電話通信信号を伝達するための時分割多重信号伝達手段と、　
　該複数のアップリンク搬送周波数帯域の専用ランダムアクセスチャネル・アップリンク搬送周波数帯域であって、前記時分割多重アップリンク搬送周波数帯域とは異なるとともにランダムアクセスチャネル無線電話通信信号の伝達に専用化された専用ランダムアクセスチャネル・アップリンク搬送周波数帯域を介して、ランダムアクセスチャネル無線電話通信信号を伝達するためのランダムアクセスチャネル信号伝達手段と、
を含むアップリンク伝達手段と、
を含むシステム。」
（刊行物記載の発明）
　これに対し、原審において拒絶の理由に引用された特開平７−２０３５４９号公報（以下、刊行物１という。）には、セルラ通信システムに関する発明が記載されており、「【００２０】衛星１２は、ある数の無線通信加入者ユニット（subscriber unit: ＳＵ）２６と、システム制御セグメント（system control segment: ＳＣＳ）２８に接続された地球端末（earth terminal: ＥＴ）２４とを含む地上局と通信する。ＥＴ２４は、公衆電話回線網（ＰＳＴＮ）または他の通信設備にアクセスするゲートウェイ（gateway: ＧＷ）２２に接続してもよい。わかりやすいように、図１ではそれぞれ１つのＧＷ２２，ＳＣＳ２８およびＳＵ２６のみが示されている。ＥＴ２４は、ＳＣＳ２８またはＧＷ２２と一緒にまたは別々に配置してもよい。ＳＣＳ２８と関連するＥＴ２４は、衛星１２の追跡(tracking)を記述するデータを受信し、制御情報のパケットを中継するが、ＧＷ２２と関連するＥＴ２４は、データ・パケット（例えば、通話中(call in progress)に関する）のみを中継する。」、「【００２２】ネットワーク１０は、百万単位の任意の数の加入者ユニット２６を収容できる。本発明の好適な実施例では、加入者ユニット２６は加入者リンク１６を介して近傍の衛星１２と通信する。リンク１６は、多数のチャネルに分割された電磁スペクトルの限定された部分を含む。リンク１６は、好ましくは、Ｌバンド周波数チャネルの組合せであり、周波数分割多元接続（Frequency Division Multiple Access: ＦＤＭＡ）および／または時分割多元接続（Time Division Multiple Access: ＴＤＭＡ）通信（インフラ）またはその組合せでもよい。最小限でも、衛星１２は１つまたはそれ以上の放送チャネル１８上で連続的に送信する。加入者ユニット２６は放送チャネル１８に同期し、放送チャネル１８を監視して、自局に宛てられたデータ・メッセージを検出する。加入者ユニット２６は、１つまたはそれ以上の捕捉チャネル１９上で衛星１２にメッセージを送信できる。放送チャネル１８および捕捉チャネル１９は、１つの加入者ユニット２６に専用ではなく、衛星１２の視界内のすべての加入者ユニット２６によって共有される。」、「【００３７】ある用途では、ＦＤＭＡおよびＴＤＭＡの組合せを利用することが望ましい。例えば、ネットワークで同一周波数チャネルまたはチャネル・セットを利用し、異なるセルに異なるタイム・スロットを割り当てる代わりに、セル間で周波数を回転させ、セルごとに同一または異なるタイム・スロットを割り当てることが可能である。ＦＤＭＡおよびＴＤＭＡでは、ある周波数またはタイム・スロットは一般に、アクセス信号および／または制御用に確保され、従来の通話および／またはユーザ・データ転送（すなわちアクセス・プロトコル）用に一般に利用できない。本発明の好適な実施例のＦＤＭＡ／ＴＤＭＭＡ兼用システムのあるチャネルおよび／またはタイム・スロットも、望ましくは、同じ目的のために確保される。ＦＤＭＡおよびＴＤＭＡ通信方式およびその組合せは、当業者に周知である。」、「【００４１】図４は、衛星１２によって提供される無線通信局のブロック図を示す。好ましくは、環境１０（図１参照）内のすべての衛星１２は、図４のブロック図に示されるような機器を含む。衛星１２は、クロスリンク・���ランシーバ７２および関連するアンテナ７４を含む。トランシーバ７２およびアンテナ７４は、他の近傍の衛星１２に対するクロスリンクをサポートする。地球リンク・トランシーバ７６および関連アンテナ７８は、地球端末２４（図１）と通信するため地球リンクをサポートする。さらに、加入者ユニット・トランシーバ８０および関連アンテナ８２は、加入者ユニット２６（図１）をサポートする。好ましくは、各衛星１２は、最大７０００以上の加入者ユニット２６（図１）のためのリンクを同時にサポートできる。もちろん、当業者であれば、アンテナ７４，７８，８２は単一多指向性アンテナとして、または個別アンテナのバンクとして構成できることが理解される。加入者ユニット・アンテナは、多くのセル３４（図１）を同時にアクセスできる位相調整アレイ・アンテナ(phased array antenna)であることが望ましい。」、「【００４３】加入者ユニット・トランシーバ８０は、望ましくは、コントローラ８４によって指示されるように、特定の選択可能なタイム・スロット中に、すべての異なる選択可能な周波数において送受信できる多重チャネルＦＤＭＡ／ＴＤＭＡトランシーバである。加入者ユニット・トランシーバ８０は、信号アクセスおよび制御のため、ならびにユーザ音声および／データのために十分な数の送信および受信周波数を提供するため十分な数のチャネルを有する多重チャネル無線装置を内蔵する。コントローラ８４は、周波数およびタイム・スロット割り当て，セル間ハンドオフおよび他のオーバヘッド，管理ならびに御機能を提供する。加入者ユニット・トランシーバ８０は、望ましくは、任意の周波数チャネル・セット上で送信および受信を行い、各加入者ユニット・トランシーバ８０は、すべての周波数およびタイム・スロット割り当てを処理する機能を有することにより、必要に応じて、すべての周波数チャネル・セットの全スペクトル容量を利用できる。」、「【００４８】トランシーバ４２は、望ましくは、捕捉チャネル・トランシーバ部，放送チャネル受信部およびトラヒック・チャネル・トランシーバ部によって構成される。捕捉チャネル・トランシーバ部は、衛星１２によって決定されるように、いくつかの捕捉チャネルの１つで通信し、前述のように加入者が通信システム１０へのアクセスを望む場合に、アクセス・プロトコル中に主に用いられる。トラヒック・チャネル・トランシーバ部は、衛星１２によって割り当てられたトラヒック・チャネル上で通信システム１０と通信する。当業者であれば、捕捉チャネル・トランシーバ部，放送チャネル受信部およびトラヒック・チャネル・トランシーバ部は、両方の機能が可能な１つのユニット内に内蔵できることが理解される。トランシーバ４２はプロセッサ４４に結合し、このプロセッサ４４は、トランシーバ４２が動作する周波数およびタイミング・パラメータを制御する。さらに、プロセッサ４４は、好ましくは、トランシーバ４２が信号を送信する電力レベルを制御する。また、プロセッサ４４は、望ましくは、入力／出力（Ｉ／Ｏ）部４６，タイマ４８およびメモリ４３に結合する。プロセッサ４４は、現在日付および時間を維持するためタイマ４８を用いる。メモリ４３は、プロセッサ４４に対して命令として機能し、プロセッサ４４によって実行されると、加入者ユニット２６に以下で説明する手順を実行させるデータを格納するための半導体，磁気および他の保存装置を含む。さらに、メモリ４３は、加入者ユニット２６の動作によって処理される変数，テーブルおよびデータベースを含む。」、「【００５０】通信システム１０をアクセスする場合、加入者ユニット２６にはトラヒック・チャネル１７を割り当てなければならない。トラヒック・チャネル１７は、前述のように、周波数チャネルおよび／またはタイム・スロットの任意の組合せでもよい。これを実現するためには、加入者ユニット２６は、衛星１２によって与えられる捕捉チャネル１９を選択する。衛星１２は、望ましくは、いくつかの捕捉チャネルを提供し、好適な実施例では、少なくとも６本以上の捕捉チャネル１９を提供する。加入者ユニット２６による特定の捕捉チャネル１９の選択はランダムでも、あるいはある所定の方法で選択してもよい。捕捉チャネル１９が選択されると、加入者ユニット２６はこの捕捉チャネル上で衛星１２とのプロトコルを開始する。望ましくは、加入者ユニット２６はＡＬＯＨＡプロトコルを開始でき、好ましくは、当技術分野で周知のスロット式ＡＬＯＨＡプロトコルを開始できる。このプロトコルの一部として、加入者ユニット２６は、前述のようにトラヒック・チャネル１７の割り当てを受信する。」、「【００６７】タスク１１２によってアンテナ・ビームが最終的に選択されると、タスク１２２は捕捉チャネル１９を選択し、選択された捕捉チャネル上でアクセス・プロトコルを開始する。衛星１２は、望ましくは、特定のアンテナ・ビームに関連する放送チャネル上で放送された情報の一部として、特定のアンテナ・ビームについてどの周波数および／または周波数チャネルがあるかに関する情報を提供する。好適な実施例では、加入者ユニットは、選択された捕捉チャネル上でスロット式ＡＬＯＨＡプロトコルを開始する。アクセス・プロトコルに成功すると、タスク１２６において衛星１２は加入者ユニット２６に（トラヒック・チャネルがあれば）トラヒック・チャネル１７を割り当て、このトラヒック・チャネル上で加入者ユニット２６はシステム１０と通信を行う。」と説明されている。
（対比・検討）
　本件発明と上記刊行物１記載の発明とを対比すると、
(a)上記刊行物１記載の発明のセルラ通信システムは、衛星を介し、かつ、ＦＤＭＡ及びＴＤＭＡの組合せにより加入者ユニットとの間で通信を行うものであり、本件発明が、複数のダウンリンク搬送周波数帯域と複数のアップリンク搬送周波数帯域とを含む搬送周波数スペクトルを介して、少なくとも１つの衛星と、少なくとも１つの無線電話機との間に無線電話通信信号を伝達するための時分割多元接続衛星無線電話通信システムであるとする点と軌を一にする。
(b)上記刊行物１記載の発明は、衛星においては地球リンク・トランスシーバ、加入者ユニット・トランスシーバを備え、加入者局においてはトランスシーバを備えるとしており、本件発明が、複数のダウンリンク搬送周波数帯域を介して、少なくとも１つの衛星から少なくとも１つの無線電話機に無線電話通信信号を伝達するためのダウンリンク伝達手段と、複数のアップリンク搬送周波数帯域を介して、少なくとも１つの無線電話機から該少なくとも１つの衛星に無線電話通信信号を伝達するためのアップリンク伝達手段を備えるとする点と実質的な差異はない。
(c)上記刊行物１記載の発明において、トランシーバ（信号をアップリンクで送信し、また、ダウンリンクの信号を受信する手段）４２は、捕捉チャネル・トランシーバ部、放送チャネル受信部およびトラヒック・チャネル・トランシーバ部によって構成されており、また、上記刊行物１記載の発明においては、補足チャネルの周波数とトラフィックチャネルの周波数とは異なる周波数を用いるようしているから、これらの点は、本件発明のアップリンク伝達手段が、複数のアップリンク搬送周波数帯域の時分割多重アップリンク搬送周波数帯域を介して、時分割多重無線電話通信信号を伝達するための時分割多重信号伝達手段と、複数のアップリンク搬送周波数帯域の専用ランダムアクセスチャネル・アップリンク搬送周波数帯域であって、時分割多重アップリンク搬送周波数帯域とは異なるとともにランダムアクセスチャネル無線電話通信信号の伝達に専用化された専用ランダムアクセスチャネル・アップリンク搬送周波数帯域を介して、ランダムアクセスチャネル無線電話通信信号を伝達するためのランダムアクセスチャネル信号伝達手段とを含むとする点と実質的な差異はない。
　以上のとおりであるから、本件発明と上記刊行物１記載の発明とに格別の差異はない。
（まとめ）
  したがって、本件発明は、少なくとも上記刊行物１記載の発明に基づいて当業者が容易に発明をすることができたものであるから、特許法第２９条第２項の規定により特許を受けることができない。
　
　よって、結論のとおり審決する。